(57)【要約】      （修正有）【課題】冷却運搬中でも収納品の腐敗や劣化を著しく改善した冷却運搬用積層函体及びそれにのみ使用する蓋体を、安価に提供する。【解決手段】函体１，１’の側面４−１，４−２及び底面５’に小孔、格子構造、桟棒構造あるいは網状構造を設け、側面及び底面から水などが排出できる構造を有する函体１，１’を複数積み上げた構造であり、かつ各函体の上面には、各函体の上面の形と同じ形を有し、その上面に嵌合できる少なくとも一対の爪３−１，３−２，３−３，３−４を有する錆びない金属製の平薄板２，２’を蓋体として各々組み込まれていることを特徴とする冷却運搬用積層函体構造体及びその構造体にのみ使用する金属平薄板蓋１，１’。【選択図】図１
0003145453.tif 000002
【実用新案登録請求の範囲】
【請求項１】
函体（１，１’）の側面（４−１，４−２，４’−１，４’−２）及び底面（５，５’）に小孔、格子構造、桟棒構造あるいは網状構造を設け、側面及び底面から水などが排出できる構造を有する函体（１，１’）を複数積み上げた構造であり、かつ各函体の上面には、各函体の上面の形と同じ形を有し、その上面に嵌合できる少なくとも一対の爪（３−１，３−２，３−３，３−４）を有する錆びない金属製の平薄板（２，２’）を蓋体として各々組み込まれていることを特徴とする冷却運搬用積層函体構造体。
【請求項２】
函体（１，１’）の側面及び底面に小孔、格子構造、桟棒構造あるいは網状構造を設け、側面及び底面から水などが排出できる構造の函体を複数積み上げた冷却運搬のため積層函体構造体にのみ使用する、各該函体の上面の形と同じ形を有し、その上面に嵌合する少なくとも一対の爪（３−１，３−２，３−３，３−４）を有する錆びない金属製の平薄板からなることを特徴とする冷却運搬用積層函体構造体用の蓋体（１）。
【考案の詳細な説明】
【技術分野】
【０００１】
本考案は、小魚などを冷却しながら運搬するため冷却運搬用積層函体構造体及びそれにのみ使用されるための冷却保存保持促進蓋体に関する。なお、本考案においては、「冷却運搬用積層函体」とは、プラスチックあるいはプラスチック代替品で製造されたもので、積み重ねて氷片と収納品を冷却保存して運搬するための函体」を意味する。この函体は、通常、プラスチック樹脂あるいはプラスチック代替品で成形されて造られており、函体は、魚などの腐敗進行を防止しなければならない物品を冷却して運ぶため、函体には氷片などを一緒に収納して運搬するので、その側面と底面には、氷片などが溶けて生じた水、汚水などが排出できるように、側面及び底面に多数の小孔あるいは格子構造あるいは桟棒構造あるいは網状構造が設けられている。
【背景技術】
【０００２】
氷片などの冷却材と一緒に魚、海老、その他新鮮海産物を収納した函体を積み重ねで運搬するのが通常の冷却運搬するが、運搬中に氷片が溶け出すと、その水、汚水が上に詰まれた函体の底面や側面から出て行き、下に積まれた函体に入ってしまい、その腐敗物を含む水は、下の函体に収納されている魚などの腐敗しやすいものの更なる腐敗を更に促進させてしまう。これは、通常の積み重ねの函体には蓋がなく、どうしても、下の収納物の腐敗が進んでしまうことが往々に発生しがちである。そこで、函体に蓋をつける考えがあるが、実用にはなっていない。
【特許文献１】特開平2002-209511
【考案の開示】
【考案が解決しようとする課題】
【０００３】
本考案の基本的な課題は、冷却運搬のために積み重ねて運ぶ函体の中に収納されている魚などの腐敗し易い物品は、その収納函体に中で冷却用氷が溶解した汚染された汚水が、上に詰まれた函体から流れ出て、下の収納函体中に入ると、腐敗しやすい物品の腐敗を更に促進してしまい、冷却運搬中に収納物品をだめにしてしまうことが多い。これを防止できる冷却運搬用積層函体構造体を提供することが、本考案が解決しようとする課題である。
従って、本考案によって、冷却運搬中でも収納品の腐敗や劣化を著しく改善した冷却運搬用積層函体及びそれにのみ使用する蓋体を、安価に提供できた。
【課題を解決するための手段】
【０００４】
本考案は、上記の問題点を解決すべく鋭意研究を重ねた結果、本考案の冷却運搬用積層函体構造体及びそれにのみ使用する不錆金属板による蓋体を提供し、それは、次のような手段による。
(１) 函体の側面及び底面に小孔、格子構造、桟棒構造あるいは網状構造を設け、側面及び底面から水などが排出できる構造を有する函体を複数積み上げた構造であり、かつ各函体の上面には、各函体の上面の形と同じ形を有し、その上面に嵌合できる少なくとも一対の爪を有する錆びない金属製の平薄板を蓋体として各々組み込まれていることを特徴とする冷却運搬用積層函体構造体。
【０００５】
(２) 側面及び底面に小孔、格子構造、桟棒構造あるいは網状構造を設け、側面及び底面から水などが排出できる構造の函体を複数積み上げた構造体にのみ使用する、各該函体の上面の形と同じ形を有し、その上面に嵌合できる少なくとも一対の爪を有する錆びない金属製の平薄板からなることを特徴とする冷却運搬用積層函体構造体用の蓋体。
【考案の効果】
【０００６】
本考案の冷却運搬用積層函体構造体は、図示のような構成により、次のごとき技術的効果があった。
第１に、低コストで簡単な構造で効率的な冷蔵運搬が可能な冷却運搬用積層函体構造体を提供した。
第２に、図示のような簡単な構成であるために、取り扱いが容易で、使用中にも損傷されることがなく、耐用性がある。
第３に、組立が容易で、且つ確実に取り付けることができる構造である。
【考案を実施するための最良の形態】
【０００７】
以下、本考案の冷却運搬用積層函体構造体の具体例を説明するが、本考案は、それにより限定を受けるものではない。先ず、本考案の冷却運搬用積層函体構造体は、図１の斜視図に示すようなもので、それは、その構造体は、２つの函体が積層されたものが示してあるが、少なくとも2つ以上の函体を積層した構造にできるものである。
【０００８】
次に、図１の斜視図及び図２の断面図により、本考案を詳細に説明する。
図では、本考案の冷却運搬用積層函体を２つ積層した構造を示すが、一般的には、2つ以上函体を、必要による数だけ積層した構造にできるものである。
本考案の特徴は、側面及び底面に小孔、格子構造、桟棒構造あるいは網状構造を設け、側面（４−１，４−２，４’−１，４’−２）及び底面（５，５’）から水など（１０）が排出できる構造の函体（１，１’）を複数積み上げた構造体に、その積層された各函体の上面に、薄い平金属板（２）で各々蓋を設けることである。
【０００９】
本考案によると、冷却保存する魚などの物品を収納する函体（４）は、側面及び底面に小孔、格子構造、桟棒構造あるいは網状構造（４−１，４−２）を有する函体（その底面は図では見えないが、同様の構造のものが設けられる）を図示のように積層される。それは、運搬中に氷片などが溶け出し、その水あるいは腐敗物を含む水あるいは腐敗水（１０）が、その側面及び底面の小孔、格子構造、桟棒構造あるいは網状構造（４−１，４−２）の隙間及び底面（５）の同様の隙間から排出されていく。
【００１０】
そこで、函体に蓋などがないと、上に詰まれた函体から流出した水や腐敗水は、下に詰まれた函体の中に入ってしまうので、下の函体に収納されている魚などの腐敗しやすい物品を更に腐らせ易くしてしまう。そのために、本考案によると、蓋（２）を各々の函体（１）の上に取り付けることが考えられるが、例えば、プラスチック製に合わせて、プラスチック製の蓋を付けると、更に、体積、容積が大きくなり、スペースをとってしまうばかりでなく、冷房効率を下げてしまう。
【００１１】
そこで、本考案によると、冷却運搬のため積層される各々の函体（１）の上面に挿入される蓋体（２）として、錆びない金属薄板を用いた。このような構成の冷却運搬用積層函体構造体では、平らな金属薄板（２）が上からの冷水を受け止め、その平面の上を流れ落ちていく。そのために、蓋体である金属板（２）はよく冷やされるので、積層された函体構造体全体もよく冷やされるので、冷蔵効率が高まり、函体（１）に収納された魚などの腐敗性物品、図２の８，９はよく冷やされて、即ち、冷蔵効率が低くなることはなく、構造体全体としての冷蔵効果が高くなる性質の構造体が得られた。
【００１２】
本考案の蓋体（２）は、本考案の冷却運搬用積層函体構造体にのみ使用されるものであり、薄板の不錆性の金属が最良であり、通常、ステンレス薄板が最も好適である。本考案者は、蓋体として、プラスチック樹脂、凹部を有する金属板とかを試みたが、図示のような平らな金属薄板が最適であることを見出したものである。即ち、溶け出した水あるいは汚染水は、冷却運搬用積層函体構造体内に留まることなく、蓋体の金属薄板を冷やして、外部に出来ていく。そのために、留まった水が更に温度が上がり、冷却運搬用積層函体構造体自体の温度を上げることがない。そのために、冷却効率が減少することがない。
【００１３】
本考案により、通常の函体の側面及び底面に小孔、格子構造、桟棒構造あるいは網状構造を設け、側面及び底面から水などが排出できる構造を有する函体（１，１’）を図示のように、複数積み上げ、各々の函体（１，１’）の上面に金属薄板を、その端部の適当位置に設けた嵌合爪（３−１，３−２，３−３，３−４）を用いて、嵌合するような構造にした。従って、用いる金属薄板のよる蓋体（２）は、各函体（１，１’）の上面に嵌って係合される。図では、７は、各プラスチック函体の上面の相対する位置に設けた取っ手のための凸部である。
【００１４】
冷却運搬用積層函体は、典型的には、図示のように、各側面に格子状の隙間を形成した構造のものであるが、上に説明したように、小孔、桟棒構造あるいは網状構造でもよいものである。
【００１５】
従って、本考案の冷却運搬用積層函体構造体は、例えば、ステンレスのように不錆性の金属薄板（２，２’）を、プラスチック函体（１，１’）の間に挟んで、構成すれば、容易に製造できるもので、その製造上も容易で低コストで製造可能である。
【００１６】
本考案の冷却運搬用積層函体構造体に用いる不錆性金属薄板は、その函体上面に嵌合する形状にされるために、この冷却運搬用積層函体構造体のためにのみ、使用されることになる。
【産業上の利用可能性】
【００１７】
更に、本考案の冷却運搬用積層函体構造体は、氷片と魚などの腐敗性物品を一緒に収納した函体を複数積み重ねた構造体を冷却運搬するときに、溶け出した氷片から出る水あるいは汚水が、下の函体に浸入して、下の函体に就航された腐敗性物品を更に腐敗しないような仕掛けを行いながら、その冷却効果に悪影響のでないようにすることを目的とするものである。従って、特別な構造とか特別な用具を用いないで、低コストでこの目的を達成しなければならない。
【００１８】
本考案によれば、本考案の蓋体は、冷却運搬用積層函体構造体にのみ嵌合される構造のものであり、他のものに使用されるものではない。
【図面の簡単な説明】
【００１９】
【図１】本考案の冷却運搬用積層函体構造体を示す斜視図である。
【図２】本考案の冷却運搬用積層函体構造体の横断面を示す断面図である。
【符号の説明】
【００２０】
１，１’    積層される函体
２，２’    不錆金属板の蓋
３−１，３−２，３−３，３−４    嵌合爪
４−１，４−２    格子構造（格子の間から解けた氷水が流れ出る） 
５，５’    積層された函体
６          函体の端部の柱
７          函体の把手
８          魚
９          氷片
１０        水あるいは腐敗水
【図１】
0003145453.tif 000003
【図２】
0003145453.tif 000004